(57)【要約】      （修正有）【課題】水中の障害物への引っ掛かりを防止し、魚の口に釣針が確実に突き刺さり、且つ、再使用が可能なルアーおよびルアー本体を提供する。【解決手段】ルアーは、軟質材料で形成されたルアー本体２と、その一部がルアー本体を貫通して、ルアー本体に装着されたオフセットフック６と、ルアー本体に設けられた磁石３又は磁性体とを含み、ルアー本体表面のうちのオフセットフックの先端部６ｅと向かい合う部分に凹部４が形成され、凹部内に磁石又は磁性体が配置され、磁石又は磁性体に、オフセットフックの先端部が吸着されている。【選択図】図１
0003232002.tif 000002
【実用新案登録請求の範囲】
【請求項１】
軟質材料で形成されたルアー本体と、
その一部が前記ルアー本体を貫通して、前記ルアー本体に装着されたオフセットフックと、
前記ルアー本体に設けられた磁石又は磁性体と、を含み、
前記ルアー本体表面のうちの前記オフセットフックの先端部と向かい合う部分に凹部が形成されており、
前記凹部内に前記磁石又は前記磁性体が配置され、
前記磁石又は前記磁性体に、前記オフセットフックの前記先端部が吸着されている、ルアー。
【請求項２】
前記オフセットフックは、
釣糸が結びつけられる釣糸係止部と、
前記釣糸接続部から延伸し下方向に屈曲した部分を含む屈曲部と、
前記屈曲部から延伸した延伸軸部と、
針先が前記釣糸係止部側に向くように湾曲した湾曲部と、
前記針先を含む先端部と、を含み、
少なくとも前記延伸軸部の一部が、前記ルアー本体の外に配置されている、請求項１に記載のルアー。
【請求項３】
少なくとも前記延伸軸部の一部が、前記ルアー本体の下面の周囲に配置されている、請求項２に記載のルアー。
【請求項４】
前記凹部は、前記ルアー本体の上面に形成されており、
前記ルアー本体は、前記凹部を構成する底部の下に、前記ルアー本体の下面に向かって開口し、前記凹部の深さよりも深く、前記磁石又は前記磁性体に吸着された前記オフセットフックの前記針先よりも、前記釣糸係止部のより近くまで形成された溝部を含む、請求項３に記載のルアー。
【請求項５】
前記オフセットフックの先端部が前記磁石又は前記磁性体に吸着した状態で、前記オフセットフックのうちの前記ルアー本体内に配置された部分は、前記溝部内に配置されており、
前記凹部の前記底部には、前記オフセットフックが貫通する貫通孔が形成されている、請求項４に記載のルアー。
【請求項６】
前記凹部は、前記ルアー本体の側面に形成されている、請求項２に記載のルアー。
【請求項７】
少なくとも前記延伸軸部の一部が、前記凹部が形成された前記ルアー本体の前記側面とは反対の側面の周囲に配置されている、請求項６に記載のルアー。
【請求項８】
前記ルアー本体は、魚部型であり、側面から突出したヒレ部を含み、
前記凹部は、前記ルアー本体の前記側面のうちの前記ヒレ部の下側近傍に形成されており、
前記磁石又は前記磁性体に吸着された前記オフセットフックの前記先端部は、前記ヒレ部を、前記凹部側とは反対側から見たときに見えない、請求項６または７に記載のルアー。
【請求項９】
前記磁石又は前記磁性体に吸着された前記オフセットフックの前記先端部は、前記凹部内に収まっている、請求項１〜８のいずれかの項に記載のルアー。
【請求項１０】
請求項１〜９のいずれかの項に記載のルアーの作製に使用される、軟質材料で形成されたルアー本体であって、
前記オフセットフックの先端部と向かい合う部分に凹部が形成されており、
前記凹部内に前記磁石又は前記磁性体が配置され、
前記磁石又は前記磁性体に、前記オフセットフックの前記先端部を吸着可能とする、ルアー本体。
【考案の詳細な説明】
【技術分野】
【０００１】
本考案は、改良された釣用ルアーに関する。
【背景技術】
【０００２】
従来、魚類の釣りに用いるルアーとして、ソフトベイト（ソフトスイムベイト）と呼ばれるルアーがある。
【０００３】
一般に、水中の木、岩、水底等の障害物のある場所に魚が潜んでいる可能性が高いが、そのような場所にルアーを投入しようとすると、釣針が障害物に引っ掛かり易いという問題がある。
【０００４】
上記障害物への釣針の引っ掛かりが抑制されたルアーとして、例えば、下記特許文献１には、ルアー本体内に釣針全体が格納でき、ルアー本体内に配置された磁石または磁性体に釣針が吸着されることで、ルアーを水中に投じた際に加わる衝撃等により、釣針がルアー本体から大きくはみだすことが抑制されたルアーが開示されている。
【０００５】
以下、図面を参照しながら、特許文献１に開示のルアーの一例についてより具体的に説明する。図１２は、ルアー１００の側面図であり、図１３は、図１２に示したルアーの部分断面図である。軟質材料からなるルアー本体２００内には、錘部４００に釣針６００を取り付けたジクヘッド３００が配置されている。釣針６００のうちの延伸軸部６００ｂが、ルアー本体２００内に配置された磁石９００に吸着されている。ルアー１００に魚が食い付いた状態で釣糸を矢印ｃの方向に引っ張ると、延伸軸部６００ｂが磁石９００から離れ、釣針６００は矢印ｄの方向に持ち上げられ、針先６００ｅが魚の口に突き刺さり魚の口に引っ掛かる。
【０００６】
また、針先の直上に、ルアー本体と一体化された軟質材料からなる薄膜を配置し、当該薄膜によって、針先が障害物等に引っ掛かることを防止したルアーも開示されている。このルアーにおいては、ルアーに魚が食い付いた状態で釣糸を強く引っ張ることで釣針を持ち上げ、針先で肉薄部を破り、針先が魚の口角に突き刺さる。
【先行技術文献】
【特許文献】
【０００７】
【特許文献１】特開２０１７−７９６２５号公報
【考案の開示】
【考案が解決しようとする課題】
【０００８】
しかし、特許文献１に開示のルアーにおいては、釣針６００の延伸軸部６００ｂが磁石に吸着する構造であるため、延伸軸部６００ｂをルアー本体の外に配置させることができない。そのため、ルアー本体の形状の選択の自由度が、釣針の形状によって制限される。また、ルアー本体が前記薄膜を備えた従来のルアーにおいては、使用により薄膜を裂いてしまうため、ルアー本体の再使用が困難である。ルアー本体の材料が、伸縮強度が優れたエラストマーである場合、針先よって薄膜を破ることができず、魚が食いついても魚の口角に針先が刺さらないとトラブルが多発する。一方、エラストマーは、再使用の観点から、ルアー本体の材料として好適である。
【０００９】
そこで、本開示は、水中の障害物への引っ掛かりを防止し、且つ、再使用が可能なルアーおよびルアー本体を提供する。
【課題を解決するための手段】
【００１０】
本開示は、一態様において、軟質材料で形成されたルアー本体と、
その一部が前記ルアー本体を貫通して、前記ルアー本体に装着されたオフセットフックと、
前記ルアー本体に設けられた磁石又は磁性体と、を含み、
前記ルアー本体表面のうちの前記オフセットフックの先端部と向かい合う部分に凹部が形成されており、
前記凹部内に前記磁石又は前記磁性体が配置され、
前記磁石又は前記磁性体に、前記オフセットフックの前記先端部が吸着されている、ルアーに関する。
【００１１】
本開示は、一態様おいて、上記ルアーの作製に使用される、軟質材料で形成されたルアー本体であって、
前記ルアー本体表面のうちの前記オフセットフックの先端部と向かい合う部分に凹部が形成されており、
前記凹部内に前記磁石又は前記磁性体が配置され、
前記磁石又は前記磁性体に、前記オフセットフックの前記先端部を吸着可能とする、ルアー本体に関する。
【考案の効果】
【００１２】
本開示によれば、水中の障害物への引っ掛かりを防止し、且つ、再使用が可能なルアーおよびルアー本体を提供できる。
【図面の簡単な説明】
【００１３】
【図１】図１は、本開示の一態様のルアーの側面図である。
【図２】図２は、図１に示したルアーの上面図である。
【図３】図３は、図１に示したルアーの下面図である。
【図４】図４は、図１に示したルアーの部分断面図である。
【図５】図５は、図１に示したルアーの部分断面図であり、オフセットフックが上方向に持ち上げられた状態を示した図である。
【図６】図６は、図１に示したルアーを構成するルアー本体の断面図である。
【図７】図７は、図１に示したルアーのVII−VII'断面図である。
【図８】図８は、本開示の別の一態様のルアーの右側面図である。
【図９】図９は、図８に示したルアーの左側面図である。
【図１０】図１０は、図８に示したルアーの上面図である。
【図１１】図１１は、図８に示したルアーの下面図である。
【図１２】図１２は、従来のルアーの側面図である。
【図１３】図１３は、図１２に示したルアーの部分断面図である。
【考案を実施するための最良の形態】
【００１４】
本開示のルアーは、一態様において、ルアー本体表面のうちのオフセットフックの先端部と向かい合う部分に凹部が形成されており、凹部内に磁石又は磁性体は配置され、磁石又は磁性体によって、オフセットフックの先端部が吸着されている。そのため、魚が食い付くまでは、オフセットフックの先端部がルアー本体から大きくはみだすことが抑制され、水中の障害物への引っ掛かりが防止されている。また、オフセットフックの先端部を磁石又は磁性体によって吸着する構成であるので、オフセットフックの延伸軸部をルアー本体外に配置させることができ、ルアー本体の形状の選択の自由度が高い。オフセットフックの延伸軸部は、少なくともその一部を、例えば、ルアー本体の下面の周囲に配置してもよいし、ルアー本体の側面の周囲に配置してもよい。さらに、針先が障害物等に引っ掛かることを防止するための肉薄部が不要であり、ルアー本体の再使用も可能であり、ルアー本体の材料としてエラストマーを選択しても、魚の口にオフセットフックが確実に突き刺さる。
【００１５】
本開示のルアーは、一態様において、好ましくは、ルアー本体の上面に凹部が形成されている。加えて、ルアー本体には、凹部を構成する底部の下に、ルアー本体の下面に向かって開口し、凹部の深さよりも深く、磁石又は磁性体に吸着されたオフセットフックの前記針先よりも、釣糸係止部のより近くまで形成された溝部を含んでいると好ましい。この構成によれば、魚が食いついた際に、ルアー本体が上下方向に潰れ易く、オフセットフックの先端部が磁石又は磁性体から離れ易い。この状態で、釣糸を引っ張ると、魚の口にオフセットフックが深く突き刺さる。なお、本明細書において、ルアー本体の「上面」とは、ルアーを水中に泳がせた際に上に位置する面であり、「下面」とは、下に位置する面である。
【００１６】
本開示のルアーは、一態様において、オフセットフックの先端部が磁石又は磁性体に吸着した状態で、好ましくは、オフセットフックのうちの前記ルアー本体内に配置された部分は、前記溝部内に配置されており、前記凹部の前記底部には、前記オフセットフックが貫通する貫通孔が形成されていると好ましい。この構成によれば、ルアー本体に対するオフセットフックの着脱が容易である。
【００１７】
本開示のルアーは、一態様において、好ましくは、ルアー本体の側面に凹部が形成されている。そして、オフセットフックの延伸軸部の少なくとも一部が、凹部が形成されたルアー本体の側面とは反対の側面の周囲に配置されている。この構成によれば、魚がルアー本体に食い付くと、延伸軸部がルアー本体側に押され、一方、オフセットフックの先端部が磁石から外れて、針先が魚の口に突き刺さる。
【００１８】
本開示のルアーは、一態様において、好ましくは、ルアー本体が魚型であり、ルアー本体の側面から突出したヒレ部を含む。ルアー本体表面に形成された凹部は、ルアー本体の側面のうちの前記ヒレ部の下側近傍に形成されている。そして、磁石又は磁性体に吸着されたオフセットフックの先端部は、ヒレ部を、凹部側とは反対側、即ち、上面側から見たときに見えないと好ましい。この構成によれば、磁石又は磁性体に吸着されたオフセットフックの先端部が、凹部からはみ出していても、水中の障害物への引っ掛かりを効果的に防止できる。
【００１９】
本開示のルアーは、一態様において、磁石又は磁性体に吸着されたオフセットフックの先端部は、ルアー本体表面に形成された凹部内に完全に収まっていると、好ましい。この構成によれば、水中の障害物への引っ掛かりを、より確実に防止できる。
【００２０】
以下、本開示のルアーの、一態様について、図面を参照しながら説明する。
【００２１】
図１は、本開示の一態様のルアーの側面図であり、図２は、図１に示したルアーの上面図、図３は、図１に示したルアーの下面図を示している。図４および図５は、図１に示したルアーの部分断面図であり、図６、図１に示したルアーを構成するルアー本体の断面図である。図７は、図１に示したルアーのVII−VII'断面図である。尚、説明の便宜のため、本明細書において、ルアー１の長手方向両端のうちの、釣糸係止部５に近い側の端を「先端」とし、その反対側の端を「後端」と呼び、ある位置から、「先端」に向かう方向を「前方」、「後端」に向かう方向を「後方」と呼ぶ。また、図１に示したルアー１の長手方向と直交し、上面及び下面を通る方向を「上下方向」と呼ぶ。
【００２２】
図１〜図７に示したルアー１は、ルアー本体２と、ルアー本体２に装着されたオフセットフック６を含む。ルアー１は、ソフトベイト型のルアーである。ルアー本体２は、かえるを模した形状をしており、その全体は、軟質塩化ビニル、エラストマー、またはシリコーンの軟質材料で形成されている。
【００２３】
ルアー本体２の上面のうちのオフセットフック６の先端部６ｅと向かい合う部分には、凹部４が形成されている。先端部６ｅは、オフセットフック６のうちの、ルアー本体２の上面側において、ルアー本体２の外に配置された部分である。凹部４の長手方向の長さは、オフセットフック６の先端部６ｅの長さよりも長く、オフセットフック６の先端部６ｅの長手方向全体が、凹部４内に収まっている。磁石３は、凹部４内において、先端部６ｅと凹部４の底部４ａの間に配置されている。磁石３は、例えば、ネオジウム磁石である。
【００２４】
磁石３は、例えば、その平面が円形のボタン状である。図７に示すように、ルアー本体２の凹部４の両側壁部４ｂには、磁石３の一部と嵌合する嵌合溝４ｃが各々形成されており、磁石３は、その上面ａのうちの凹部４の底部４ａとほぼ同幅の中央部を残して１対の嵌合溝４ｃに嵌合されると共に、下面３ｂが、接着剤（図示せず）等を用いて凹部４の底部４ａに固定されている。ただし、磁石３のルアー本体２への固定方法はこれに限定されない。ルアー本体２は、弾性変形する材料で形成されているので、磁石３は、凹部４内に押し込まれ、その側面および底面３ｂの両方が、接着剤にて凹部４内に固定されていてもよい。
【００２５】
オフセットフック６が磁石で形成されている場合、磁石３は磁性体で形成されていてもよい。
【００２６】
オフセットフック６は、略Ｌ字状の釣針であり、ラインアイとも呼ばれリング状に曲げ加工された釣糸係止部６ａと、屈曲部６ｂと、延伸軸部６ｃと、湾曲部６ｄと、針先６ｆを含む先端部６ｅとをこの順で含む。釣糸接続部５ａには、図示されていないが、釣糸が結びつけられる。屈曲部６ｂは、釣糸接続部６ａから延伸し下方向に屈曲した部分を含む。延伸軸部６ｃは、シャンクとも呼ばれ、屈曲部６ｂから後方側に向かって延伸している。湾曲部６ｄは、オフセットフック６の針先６ｆが釣糸接続部６ａ側に向くように湾曲している。オフセットフック６は、ルアー本体２の先端側端面からルアー本体２内に差し込まれて、延伸軸部６ｃは、少なくともその一部が、ルアー本体２の下面の周囲に配置され、これよりも後方側の一部は、ルアー本体２内に配置されている。
【００２７】
ルアー本体２は、凹部４を構成する底部４ａの下に、ルアー本体２の下面に向かって開口した溝部５を含んでいる。溝部５についての、ルアー本体２の下面から底部４ａの下面までの深さは、凹部４についての、ルアー本体２の上面から底部４ａまでの深さよりも深い。溝部５の先端側壁５ａは、磁石３に吸着されたオフセットフック６の針先６ｆよりも、釣糸係止部６ａのより近くにある。溝部５の後端側壁５ｂは、オフセットフック６のうちのルアー本体２内に配置された部分よりも後方にある。
【００２８】
図６に示すように、ルアー本体２の先端側には、オフセットフック６の一部を貫通させるための、第１貫通路２ａと第２貫通路２ｂが形成されている。第１貫通路２ａは、一端が、ルアー本体２の先端側端面で開口し、他端がルアー本体２の下面で開口している。第２貫通路２ｂは、その一端が、凹部４の底部４ａの下面で開口し、他端が、底部４ａの上面で開口している。従って、オフセットフック６は上記の通りの形状であることから、第１貫通路２ａの一端からルアー本体２の先端部内に挿入された先端部６ｅは、第１貫通路２ａの他端からルアー本体２の下面側の外に出た後、溝部５内に入って、第２貫通路２ｂの一端から、凹部４の底部４ａ内に挿入され、第２貫通路２ｂの他端から出て、凹部４の底部４ａの上方に配置される。このように、軟質材料であるルアー本体２を弾性変形させながら、オフセットフック６を上記の手順でルアー本体２に装着できる。逆の手順により、ルアー本体２からオフセットフック６を取り外すこともできる。すなわち、ルアー本体２を再使用でき、ルアー本体２内へのオフセットフック６の着脱が容易に行える。
【００２９】
オフセットフック６の先端部６ｅは、凹部４内において磁石３に吸着されているので、図１および図４等から良く分かるように、ルアー１を側面側から見たとき、先端部６ｅは全く見えない。そして、図４に示すように、オフセットフック６は、その先端部６ｅが磁石３に吸着されることにより矢印ａ方向の回転移動が制限され、磁石３と凹部４の底部４ａが物理的障壁となって、矢印ｂ方向の回転移動が制限されている。
【００３０】
磁石３のオフセットフック６に対する吸着力は、ルアー１を水中に投じた際にルアー１に加わる衝撃や、水中でルアー１が木、岩、水底等の障害物に接触したときに加わる外力程度では、オフセットフック６が磁石３から離れない程度に設定している。このような設定は、磁力の調整により可能である。ルアー１では、想定した外力を超える大きな外力が加わらない限り、オフセットフック６の先端部６ｅが磁石３に吸着された状態が維持される。したがって、水中に投入された後のルアー１が水中の障害物に接触しても、オフセットフック６が障害物に引っ掛かることが防止されている。
【００３１】
磁石３によるオフセットフック６の吸着が解除されてオフセットフック６がルアー本体２から大きくはみだすような大きな外力としては、魚が食い付いたときの外力、魚が食い付いた状態で、釣糸を意図的に引っ張ったときに加わる外力を想定している。例えば、図４に示すように、使用者が釣糸を矢印ｃ方向に引っ張ると、オフセットフック６の屈曲部６ｂのうちの下方向に屈曲した部分がルアー本体２内において滑り、オフセットフック６に、矢印ａ方向に移動する力が作用する。そして、図５に示すように、先端部６ｅが磁石３は離れる。ルアー本体２には、その広範囲に溝部５が形成されているので、オフセットフック６は、ａ方向への移動が干渉されることなく上方向に持ち上げられることになる。この動作により、針先６ｆが、魚の口に突き刺さる。魚がルアー１に食い付いた際に既に魚の口に針先６ｆが突き刺さっている場合は、上記動作により、針先６ｆは、さらに魚の口に深く突き刺さることになる。また、ルアー本体２は、溝部５が形成されていることによって上下方向に潰れやすく、オフセットフック６が大きく露出し得、ルアー１に魚が食い付いたときに、オフセットフック６が魚に深く刺さり易い。
【００３２】
図７に示すように、溝部５の溝幅Ｘは、オフセットフック６の移動がスムーズに行え、魚が食い付いたときにルアー本体２が上下方向に潰れやすく、且つ、水の抵抗を受けてもルアー本体２の形状が保持される程度に設定すればよい。溝幅Ｘは、ルアー本体２の長手方向に沿って一定である必要はなく、異なっていてもよい。また、溝幅Ｘは、上下方向に沿って一定である必要はなく、異なっていてもよい。
【００３３】
図１から図７を用いて説明した本開示のルアーの一態様では、オフセットフック６の先端部６ｅ全体が、凹部４内に収まっているが、本発明の効果が損なわれない程度で、凹部４から僅かにはみ出していてもよい。例えば、先端部６ｅの一部である、針先６ｆ等が、凹部４から僅かにはみ出していてもよい。
【００３４】
次に、本開示のルアーの、別の一態様について、図面を参照しながら説明する。
【００３５】
図８は、本開示の別の一態様のルアー１０の右側面図であり、図９は、図８に示したルアー１０の左側面図である。図１０は、図８に示したルアー１０の上面図、図１１は、図８に示したルアー１０の下面図である。なお、本明細書において、ルアー１０の「右側面」とは、ルアー１０を先端から後端に向かって見たときに右側に位置する側面あり、「左側面」とは、ルアー１０を先端から後端に向かって見たときに左側に位置する側面ある。
【００３６】
図８〜図１０に示されるように、ルアー本体２０は略魚型であり、その全体は、軟質塩化ビニル、エラストマー、またはシリコーンの軟質材料で形成されている。ルアー本体２０は、先端側に配置された頭部２１と、頭部２１よりも後方側に配置された後方部２２と を含んでいる。後方部２２は、複数の肉薄部２２ａと複数の肉厚部２２ｂとを含み、複数の肉薄部２２ａと複数の肉厚部２２ｂとが、ルアー本体２０の長手方向に沿って交互に配置されている。後方部２２が 少なく一つの肉薄部２２ａと当該肉薄部２２ａの後方に隣接配置された肉厚部２２ｂとを含む構造をしていることにより、肉薄部２２ａのうちの先端側端近傍と後端側端近傍の各々が関節のように機能して、ルアー本体２０の左右方向の屈曲に寄与する。
【００３７】
図８および図１１に示すように、頭部２１の右側面のうちの、後方部２２近傍には、凹部４０が形成されている。ルアー本体２をその右側面から見ると、オフセットフック６の先端部６ｅは、凹部４０内に収まっている。凹部４０内には、磁石３０が配置されており、磁石３０は、凹部４０の底部４０ａに形成された嵌合孔４０ｂに圧入され、且つ、接着剤にて接着されている。
【００３８】
ルアー本体２０の両側面には、水平方向に突出したヒレ部２１ｃが設けられており、一方のヒレ部２１ｃの下側近傍に前記凹部４０が形成されている。図１０および図１１からよくわかるように、磁石３０に吸着されたオフセットフック６の先端部６ｅは、ヒレ部２１ｃを、凹部４０側とは反対側、すなわち、ルアー本体２０の上面側から見たときに見えない。この場合、磁石３０に吸着されたオフセットフック６の先端部６ｅが、凹部４０から僅かにはみ出していても、水中の障害物への引っ掛かりを効果的に防止できる。
【００３９】
ルアー本体４０に装着されたオフセットフックは、図１〜図７を用いて説明したルアー１を構成するオフセットフック６と同じであり、同符号を付して、その説明は省略する。図１１に示すように、ルアー本体２０には、オフセットフック６の一部を貫通させるための、第１貫通路２０ａと第２貫通路２０ｂが形成されている。第１貫通路２０ａは、一端が、ルアー本体２０の先端側端面で開口し、他端がルアー本体２０の左側面のうちのルアー本体２０の先端部近傍で開口している。第２貫通路２１ｂは、その一端が、ルアー本体２０の頭部２１の左側面のうちの後方部２２近傍で開口し、他端が、底部４ａの上面のうち後方部２２近傍で開口している。従って、第１貫通路２０ａの一端からルアー本体２０の先端部（頭部２１）内に挿入されたオフセットフック６の先端部６ｅは、第１貫通路２０ａの他端からルアー本体２０の外に出た後、第２貫通路２０ｂの一端から、ルアー本体２０内に挿入され、第２貫通路２０ｂの他端から出て、凹部４０の底部４０ａの右側、好ましくは凹部４０内に配置される。逆の手順により、ルアー本体２０からオフセットフック６を取り外すこともできる。
【００４０】
魚が頭部２１に食い付くと、頭部２１が撓み、またはオフセットフック６のうちの頭部２１の側面の周囲に配置された延伸軸部６ｃが頭部２１側に押されて、先端部６ｅが磁石３０から外れ、針先６ｆが魚の口に突き刺さる。
【符号の説明】
【００４１】
１，１０    ルアー
２，２０    ルアー本体
２ａ，２０ａ  第１貫通孔
２ｂ，２０ｂ  第２貫通孔
２１  頭部
２１ｃ  ヒレ部
２２  後方部
２２ａ  肉薄部
２２ｂ  肉厚部
３，３０  磁石
３ａ  磁石の上面
３ｂ  磁石の下面
４，４０  凹部
４ａ，４０ａ  凹部の底部
４ｂ  側壁
４ｃ  嵌合溝
４０ｂ  嵌合孔
５    溝部
５ａ  先端側壁
５ｂ  後端側壁
６    オフセットフック
６ａ  釣糸係止部
６ｂ  屈曲部
６ｃ  延伸軸部
６ｄ  湾曲部
６ｅ  先端部
６ｆ  針先
【図１】
0003232002.tif 000003
【図２】
0003232002.tif 000004
【図３】
0003232002.tif 000005
【図４】
0003232002.tif 000006
【図５】
0003232002.tif 000007
【図６】
0003232002.tif 000008
【図７】
0003232002.tif 000009
【図８】
0003232002.tif 000010
【図９】
0003232002.tif 000011
【図１０】
0003232002.tif 000012
【図１１】
0003232002.tif 000013
【図１２】
0003232002.tif 000014
【図１３】
0003232002.tif 000015